(57)【要約】      （修正有）【課題】出没孔に対して出没する出没ボールを用いて固定対象体を簡便に締結及び分解させることができる、出没ボールを用いた簡便ロック装置を提供する。【解決手段】長手方向に穿設される貫通孔１１、及び貫通孔に連結され、側面に穿設される出没孔１２を有する胴体１０と、出没孔に対して出没する出没ボール２０と、貫通孔から前後進して出没ボールを出没孔に対して出没させる前後進ピン３０と、前後進ピンを弾性支持して出没ボールが出没孔から突出した状態を維持するようにするバネ４０と、胴体の外面に沿って移動して出没ボールと共に固定対象体を加圧して固定させる固定ブロック５０とを含んでなる。【選択図】図３
0003204560.tif 000002
【実用新案登録請求の範囲】
【請求項１】
長手方向に穿設される貫通孔、及び該貫通孔に連結され、側面に穿設される出没孔を有する胴体と、
前記出没孔に対して出没する出没ボールと、
前記貫通孔から前後進して前記出没ボールを前記出没孔に対して出没させる前後進ピンと、
前記前後進ピンを弾性支持して前記出没ボールが前記出没孔から突出した状態を維持するようにするバネと、
前記胴体の外面に沿って移動して前記出没ボールと共に固定対象体を加圧して固定させる固定ブロックとを含んでなることを特徴とする、出没ボールを用いた簡便ロック装置。
【請求項２】
前記胴体の外面にはねじ山が形成され、前記固定ブロックの内面にはねじタップが切られることにより、前記固定ブロックを前記胴体の外面に沿って螺旋移動することを特徴とする、請求項１に記載の出没ボールを用いた簡便ロック装置。
【考案の詳細な説明】
【技術分野】
【０００１】
本考案は、出没孔に対して出没する出没ボールを用いて固定対象体を簡便に締結及び分解させることができる、出没ボールを用いた簡便ロック装置に関する。
【背景技術】
【０００２】
２つの物体を締結して固定させるに際して、主としてボルトとリベットが使用される。ボルトは、固定させようとする２つの物体（すなわち、対象体）に穿設された孔にボルトを挿通させた後、ナットで締め、ボルトのヘッドとナットがそれらの間の固定対象体を加圧して固定させる。一方、リベットは、２つの物体に穿設された孔にリベットを挿通させた後、貫通したリベットの両側または一側の端部を圧着させてそれらの間に固定対象体を加圧して固定させる。
【０００３】
リベットは、締結のために圧着工具が必要であり、締結の後はリベットを切断して破損させなければ分解されないという問題がある。
【０００４】
ボルトとナットを用いた方法は、締結の後もナットを解けば分解が可能であるが、ナットを締めたり解いたりするのに多くの時間がかかる。特に、固定対象体の孔の内周面にねじタップが切られており、ボルトが固定対象体の孔の内周面に螺合される場合、固定対象体を締結したり分解したりするのに多くの時間がかかるため、作業性に劣るという問題がある。
【０００５】
このように締結の後は分解が不可能なリベットの問題点、および締結と分解に多くの手間がかかって作業性に劣るボルト及びナットの問題点を解決するために、特許文献１では、図１に示すように、胴体１０の内部に軸が前後進可能に組み込まれ、軸の前後進に応じてボール４０が胴体に対して出没する構造の「ピンボールロック（ｐｉｎ−ｂａｌｌ ｌｏｃｋ）」が提案されている。
【０００６】
特許文献１の「ピンボールロック」は、軸２１を指で押してボール４０が胴体１０に引き込まれるようにした状態で、胴体１０を固定対象体の孔に挿通させた後、軸２１を押していた指を離すと、ボール４０が引き出されながら固定対象体の孔の外面に係止され締結される。分解の際には、逆に、軸２１を指で押した状態で胴体１０を引き抜けばよい。特許文献１の「ピンボールロック」は、軸を指で押し、胴体を孔に対して押し込んだり抜き出したりするだけで固体対象体を簡便に締結または分解することができる。
【０００７】
ところが、前記特許文献１の「ピンボールロック」は、ボール４０とフランジ３５の位置が決められており、ピンボールロックを使用するために製作された固定対象体以外の他の物体には使用できないという限界がある。すなわち、前記特許文献１の「ピンボールロック」は、ボール４０とフランジ３５との距離に相当する深さを有する孔が穿設された固定対象体にのみ使用可能である。
【先行技術文献】
【特許文献】
【０００８】
【特許文献１】韓国登録特許第１０−０７７５９０６号公報
【考案の概要】
【考案が解決しようとする課題】
【０００９】
本考案は、かかる従来技術の、所定の深さの孔を持つ固定対象体の締結にのみ使用される限界を解決するためになされたもので、その目的は、固定ブロックが胴体に沿って移動するようにすることにより、孔の深さが異なっても締結が可能な、出没ボールを用いた簡便ロック装置を提供することにある。
【課題を解決するための手段】
【００１０】
上記の目的を達成するために、本考案に係る出没ボールを用いた簡便ロック装置は、
長手方向に穿設される貫通孔、及び該貫通孔に連結され、側面に穿設される出没孔を有する胴体と、
前記出没孔に対して出没する出没ボールと、
前記貫通孔から前後進して前記出没ボールを前記出没孔に対して出没させる前後進ピンと、
前記前後進ピンを弾性支持して前記出没ボールが前記出没孔から突出した状態を維持するようにするバネと、
前記胴体の外面に沿って移動して前記出没ボールと共に固定対象体を加圧して固定させる固定ブロックとを含んでなる。
【００１１】
また、前記胴体の外面にはねじ山が形成され、前記固定ブロックの内面にはねじタップが切られることにより、前記固定ブロックを前記胴体の外面に沿って螺旋移動することを特徴とする。
【考案の効果】
【００１２】
このように構成される本考案に係る出没ボールを用いた簡便ロック装置は、別途の工具なしでも簡便かつ迅速に固定対象体を締結または分解させることができ、固定対象体の種類が変わっても、すなわち締結用孔の深さが異なっても簡便に締結することができる、出没ボールを用いた簡便ロック装置であって、産業の発展に非常に有用な考案である。
【図面の簡単な説明】
【００１３】
【図１】従来の技術に係るロック装置の斜視図である。
【図２】本考案に係る出没ボールを用いた簡便ロック装置の斜視図である。
【図３】本考案に係る出没ボールを用いた簡便ロック装置の分解斜視図である。
【図４】本考案に係る出没ボールを用いた簡便ロック装置の断面図である。
【考案を実施するための形態】
【００１４】
以下、添付図面を参照して、本考案に係る出没ボールを用いた簡便ロック装置をより詳細に説明する。参考まで、以下で使用する本考案の図面符号は、図１に示した従来の技術で使用した図面符号とは関係ない。
【００１５】
本考案をより具体的に説明するに先立ち、本考案は多様な変更を加えることができ、様々な形態を持つことができるもので、その具現例（態様、ａｓｐｅｃｔ）（または実施例）をここに詳細に説明する。しかし、これは本考案を特定の開示形態に限定しようとするものではなく、本考案の思想および技術範囲に含まれるすべての変更、均等物または代替物を含むものと理解されなければならない。
【００１６】
各図面において、同一の参照符号、特に十の桁および一の桁、または十の桁、一の桁およびアルファベットが同じである参照符号は同一または類似の機能を持つ部材を示し、特に言及がない場合、図面の各参照符号が指す部材はこのような基準に準ずる部材と把握すればよい。
【００１７】
また、各図面において、構成要素は、理解の便宜などのために、大きさや厚さを誇張して大きく（または厚く）或いは小さく（または薄く）表現しているか単純化して表現しているが、これによって本考案の保護範囲が制限的に解釈されてはならない。
【００１８】
本明細書で使用する用語は、特定の具現例（態様、ａｓｐｅｃｔ）（または実施例）を説明するために使用されたもので、本考案を限定しようとするものではない。単数の表現は、文脈上特に明記しない限り、複数の表現を含む。本出願において、「含む」または「からなる」などの用語は明細書上に記載した特徴、数字、段階、動作、構成要素、部分品またはこれらの組み合わせが存在することを指定しようとするものであり、一つまたはそれ以上の他の特徴、数字、段階、動作、構成要素、部分品またはこれらの組み合わせなどの存在または付加の可能性を予め排除しないものと理解されなければならない。
【００１９】
特に他に定義しない限り、技術用語や科学用語を含み、ここで使われるすべての用語は本考案の属する技術分野における通常の知識を有する者によって一般的に理解されるものと同じ意味を持っている。一般的に使われる辞典に定義されている用語は、関連技術の文脈上で持つ意味と一致する意味を持つものと解釈されなければならず、本明細書で明らかに定義しない限り、理想的な意味または過度に形式的な意味に解釈されない。
【００２０】
図２ないし図４に示すように、本考案に係る出没ボールを用いた簡便ロック装置は、胴体１０、出没ボール２０、前後進ピン３０、バネ４０および固定ブロック５０を含んでなる。
【００２１】
前記胴体１０は、長手方向に内部に貫通孔１１が穿設され、前方側の側面には前記貫通孔１１に連結される出没孔１２が穿設され、後方側の内面にはバネが内蔵できるように拡張部１３が設けられ、後方にはキャップ１４が結合され、後方側の内面にはねじ山１５が形成され、前方の外面には固定対象体１の孔３に容易に挿入できるようにテーパー１６がつく。
【００２２】
前記出没ボール２０は、前記胴体１０の出没孔１２に対して出没するように胴体１０に内在する。
前記前後進ピン３０は、前記胴体１０の貫通孔１１に挿入されて貫通孔１１に沿って前後進する。
前記前後進ピン３０は、前方側の外面には前記出没ボール２０が出没する空間を提供する引き込み溝３１が設けられ、後方側の外面には前後進ピン３０が胴体１０の貫通孔１１から取り外されないようにする離脱防止段３３が突設され、後方には手で押す押圧部材３５が結合される。
【００２３】
前記バネ４０は、前記前後進ピン３０に外嵌され、前記胴体１０の拡張部に内蔵されることにより、前後進ピン３０を後方に付勢するように弾性力が作用する。
前記固定ブロック５０は、前記胴体１０の外面に沿って移動して前記出没ボール２０との距離が調節される。
前記固定ブロック５０の内面には前記胴体１０の外面に形成されたねじ山１５に螺合されるねじタップ５５が切られるため、前記固定ブロック５０は前記胴体１０の外面に沿って螺旋移動する。
【００２４】
前記固定ブロック５０の外面には、使用者が指で掴んで回すことができるように微細突起５１が連続して突設される。
前記固定ブロック５０は、前記胴体１０の外面に沿って移動して前記出没ボール２０との距離を調節することにより、出没ボール２０との間に介在される２つの固定対象体１を互いに密着させながら加圧させて固定させる。
【００２５】
また、前記固定ブロック５０は、図示の如く、前面の広い平面構造を持つため、固定対象体１を接触支持して固定対象体１の荷重を負担する。例えば、２つの固定対象体１のうち、前方の固定対象体がＬＥＤ電光掲示板であり、後方の固定対象体が壁体に固定締結されるブラケットである場合、前記固定ブロック５０はＬＥＤ電光掲示板をブラケットに固定させ、ブラケットと電光掲示板を支持しながら電光掲示板の荷重を一定部分負担する。
【００２６】
以下、上述のように構成される本考案に係る出没ボール２０を用いた簡便ロック装置を用いて固定対象体１を締結させる過程について説明する。
【００２７】
まず、２つの固定対象体１に穿設されている孔３同士を合致させる。
次に、人差し指と中指で固定ブロック５０を掴み、親指で前後進ピン３０の押圧部材３５を押して前後進ピン３０を胴体１０の内部で前進させる。すると、出没ボール２０が出没孔１２から退避（または自由に退避可能な状態）される。
その後、前後進ピン３０を前進させた状態で前後進ピン３０を固定対象体１の孔３に押し込む。
【００２８】
次いで、親指を押圧部材３５から離す。すると、出没ボール２０が出没孔から突出して孔３の外面に係止される。
その次に、固定ブロック５０を指で回して胴体１０の外面に沿って前進させる。すると、突出した出没ボール２０と固定ブロック５０の前面との距離が短くなるにつれて、それらの間にある固定対象体１の両側面を加圧して固定させることにより、２つの固定対象体１に締結される。
【００２９】
２つの固定対象体１の分解は上記の逆順で進行すればよい。
【００３０】
以上で本考案を説明するにあたり、添付図面を参照して、特定の形状と構造を持つ、出没ボールを用いた簡便ロック装置について説明したが、本考案は、当業者によって様々な変形及び変更が可能であり、それらの変形および変更も本考案の保護範囲に属するものと解釈されるべきである。
【符号の説明】
【００３１】
１０    胴体
１１    貫通孔
１２    出没孔
１３    拡張部
１４    キャップ
１５    ねじ山
２０    出没ボール
３０    前後進ピン
３１    引き込み溝
３３    離脱防止段
４０    バネ
５０    固定ブロック
５１    微細突起
５５    ねじタップ
【図１】
0003204560.tif 000003
【図２】
0003204560.tif 000004
【図３】
0003204560.tif 000005
【図４】
0003204560.tif 000006